(57)【要約】【課題】本発明は、立体画像の観察時に視認の妨げとなる極近点領域の物体が２重に観察されてしまう表示や、高輝度の表示を観察者の観察に影響を与えないように処理することができ、立体画像が観察しやすい内視鏡装置を提供することを最も主要な特徴とする。【解決手段】直視双眼アダプタ１００ａ３の観察窓１０８Ｌ，１０８Ｒからの両方の観察像を立体画像情報として構築し、表示する３次元グラス４９への立体画像表示の構築可不可を判別する判別部１１７と、この判別部１１７からの判別結果に基いて構築不可情報の入力時に立体画像表示の構築不可の観察画像が表示されないように処理するビデオ加工指示部２１４およびグラフィック加工指示部２１５とを設けたものである。【選択図】    図７
2004187711.tif 000002
【特許請求の範囲】
【請求項１】
左右２つの観察光学系を有する双眼観察光学系と、上記左右２つの観察光学系からの両方の観察像を立体画像情報として構築し、表示する表示手段とを有する内視鏡装置において、
上記表示手段への立体画像表示の構築可不可を判別する判別手段と、
この判別手段からの判別結果に基いて構築不可情報の入力時に上記立体画像表示の構築不可の観察画像が表示されないように処理する処理手段と
を設けたことを特徴とする内視鏡装置。
【請求項２】
上記判別手段は上記双眼観察光学系から得られる観察像に対する３角測量による被写体距離を測定する手段であることを特徴とする請求項１に記載の内視鏡装置。
【請求項３】
上記判別手段は上記双眼観察光学系から得られる観察像中の高輝度部を抽出する高輝度部抽出手段であることを特徴とする請求項１に記載の内視鏡装置。
【請求項４】
上記処理手段は上記双眼観察光学系から得られる観察像の焦点位置よりも上記双眼観察光学系に接近した極近点領域で得られた上記立体画像表示の構築不可の観察画像を加工処理する加工処理手段であることを特徴とする請求項１に記載の内視鏡装置。
【請求項５】
上記処理手段は上記双眼観察光学系から得られる観察像の焦点位置よりも上記双眼観察光学系に接近した極近点領域で得られた上記立体画像表示の構築不可の高輝度観察画像を加工処理する高輝度画像の加工処理手段であることを特徴とする請求項１に記載の内視鏡装置。
【請求項６】
上記加工処理手段は上記極近点領域で得られた高輝度観察画像の高輝度部分をマスクするマスク手段であることを特徴とする請求項４または請求項５に記載の内視鏡装置。
【請求項７】
上記処理手段は上記双眼観察光学系から得られる観察像の焦点位置よりも上記双眼観察光学系に接近した極近点領域で得られた上記立体画像表示の構築不可の観察画像を加工処理する加工処理手段と、この加工処理手段からの加工情報を生成する加工情報生成手段と、この加工情報生成手段から前記加工情報を出力する加工情報出力手段とを具備することを特徴とする請求項１に記載の内視鏡装置。
【請求項８】
上記処理手段は上記双眼観察光学系から得られる観察像の焦点位置よりも上記双眼観察光学系に接近した極近点領域で得られた上記立体画像表示の構築不可の高輝度観察画像を加工処理する加工処理手段と、この加工処理手段からの加工情報を生成する加工情報生成手段とを具備することを特徴とする請求項１に記載の内視鏡装置。
【請求項９】
上記処理手段は上記双眼観察光学系から得られる観察像の焦点位置よりも上記双眼観察光学系に接近した極近点領域で得られた上記立体画像表示の構築不可の観察画像を排除する排除手段であることを特徴とする請求項１に記載の内視鏡装置。
【発明の詳細な説明】
【０００１】
【発明の属する技術分野】
本発明は、左右２つの観察光学系からの両方の観察像から立体画像情報を構築し、表示する内視鏡装置に関する。
【０００２】
【従来の技術】
一般に、内視鏡の先端部に左右２つの観察光学系を備え、左右２つの観察光学系の両方の観察像から立体画像情報を構築し、表示する内視鏡装置が従来から開発されている。例えば、特許文献１には内視鏡の先端部に２つの観察光学系を設け、その２つの観察光学系の眼の視差を利用して立体観察する技術が示されている。そして、この立体観察の技術と、鉗子等の処置具の操作とを組み合わせて、異物回収などの操作を行なう技術が示されている。
【０００３】
また、特許文献２には、３次元眼鏡による眼鏡型ディスプレイ装置（３次元グラス）が示されている。
【０００４】
【特許文献１】
特開平８−２１５１４２号公報
【０００５】
【特許文献２】
特開２００２−１１２２９０号公報
【０００６】
【発明が解決しようとする課題】
上記従来構成の内視鏡では、立体表示の際に、２つの観察光学系から得られる観察像の焦点位置よりも観察光学系に接近した極近点位置に物体面が配置されている場合には、２つの観察光学系から得られる観察像の視差に対して物体面の距離が近すぎるために、表示部に表示される観察像を立体状態に再構築することが難しい。そのため、表示部に表示される観察像は、極近点に位置する物体が２重に見える現象が生じるので、この部分が観察の妨げになる。その結果、操作者に誤解を与えたり、疲労の原因となるなど内視鏡による検査効率が低下する問題がある。
【０００７】
また、極近点に物体が配置されている状態で、反射光によるハレーションが発生する場合には、その反射光がさらに２重となる。そのため、この場合にはより観察に不具合が生じる。さらに、物体面の輝度が高く、白色にしか見えない場合には、立体情報を喪失し、正確に立体表示できないという不具合がある。
【０００８】
本発明は上記事情に着目してなされたもので、その目的は、立体画像の観察時に視認の妨げとなる極近点領域の物体が２重に観察されてしまう表示や、高輝度の表示を観察者の観察に影響を与えないように処理することができ、立体画像が観察しやすい内視鏡装置を提供することにある。
【０００９】
【課題を解決するための手段】
請求項１の発明は、左右２つの観察光学系を有する双眼観察光学系と、上記左右２つの観察光学系からの両方の観察像を立体画像情報として構築し、表示する表示手段とを有する内視鏡装置において、上記表示手段への立体画像表示の構築可不可を判別する判別手段と、この判別手段からの判別結果に基いて構築不可情報の入力時に上記立体画像表示の構築不可の観察画像が表示されないように処理する処理手段とを設けたことを特徴とする内視鏡装置である。
そして、本請求項１の発明では、左右２つの観察光学系の観察像を立体画像情報として構築可不可を判別手段によって判別し、構築不可情報を処理手段によって立体画像表示の構築不可の観察画像が表示されないように処理することにより、操作者に誤解を与えたり、疲労の原因となる不適切な情報を排除するようにしたものである。
【００１０】
請求項２の発明は、上記判別手段は上記双眼観察光学系から得られる観察像に対する３角測量による被写体距離を測定する手段であることを特徴とする請求項１に記載の内視鏡装置である。
そして、本請求項２の発明では、双眼観察光学系から得られる観察像に対し、３角測量による被写体距離を測定し、その測定データにより立体画像の構築可不可を判別するようにしたものである。
【００１１】
請求項３の発明は、上記判別手段は上記双眼観察光学系から得られる観察像中の高輝度部を抽出する高輝度部抽出手段であることを特徴とする請求項１に記載の内視鏡装置である。
そして、本請求項３の発明では、双眼観察光学系から得られる観察像中の高輝度部を高輝度部抽出手段によって抽出し、その測定データにより立体画像の構築可不可を判別するようにしたものである。
【００１２】
請求項４の発明は、上記処理手段は上記双眼観察光学系から得られる観察像の焦点位置よりも上記双眼観察光学系に接近した極近点領域で得られた上記立体画像表示の構築不可の観察画像を加工処理する加工処理手段であることを特徴とする請求項１に記載の内視鏡装置である。
そして、本請求項４の発明では、処理手段による処理時には双眼観察光学系から得られる観察像の焦点位置よりも双眼観察光学系に接近した極近点領域で得られた立体画像表示の構築不可の観察画像を加工処理手段によって加工処理して表示されないようにしたものである。
【００１３】
請求項５の発明は、上記処理手段は上記双眼観察光学系から得られる観察像の焦点位置よりも上記双眼観察光学系に接近した極近点領域で得られた上記立体画像表示の構築不可の高輝度観察画像を加工処理する高輝度画像の加工処理手段であることを特徴とする請求項１に記載の内視鏡装置である。
そして、本請求項５の発明では、処理手段による処理時には双眼観察光学系から得られる観察像の焦点位置よりも双眼観察光学系に接近した極近点領域で得られた立体画像表示の構築不可の高輝度観察画像を高輝度画像の加工処理手段によって加工処理して表示されないようにしたものである。
【００１４】
請求項６の発明は、上記加工処理手段は上記極近点領域で得られた高輝度観察画像の高輝度部分をマスクするマスク手段であることを特徴とする請求項４または請求項５に記載の内視鏡装置である。
そして、本請求項６の発明では、処理手段による処理時には極近点領域で得られた高輝度観察画像の高輝度部分をマスク手段によってマスクして表示されないようにしたものである。
【００１５】
請求項７の発明は、上記処理手段は上記双眼観察光学系から得られる観察像の焦点位置よりも上記双眼観察光学系に接近した極近点領域で得られた上記立体画像表示の構築不可の観察画像を加工処理する加工処理手段と、この加工処理手段からの加工情報を生成する加工情報生成手段と、この加工情報生成手段から前記加工情報を出力する加工情報出力手段とを具備することを特徴とする請求項１に記載の内視鏡装置である。
そして、本請求項７の発明では、処理手段による処理時には双眼観察光学系から得られる観察像の焦点位置よりも双眼観察光学系に接近した極近点領域で得られた立体画像表示の構築不可の観察画像を加工処理手段によって加工処理し、この加工情報を加工情報生成手段によって生成し、さらに加工情報出力手段によってこの加工情報を出力するようにしたものである。
【００１６】
請求項８の発明は、上記処理手段は上記双眼観察光学系から得られる観察像の焦点位置よりも上記双眼観察光学系に接近した極近点領域で得られた上記立体画像表示の構築不可の高輝度観察画像を加工処理する加工処理手段と、この加工処理手段からの加工情報を生成する加工情報生成手段とを具備することを特徴とする請求項１に記載の内視鏡装置である。
そして、本請求項８の発明では、処理手段による処理時には双眼観察光学系から得られる観察像の焦点位置よりも双眼観察光学系に接近した極近点領域で得られた立体画像表示の構築不可の高輝度観察画像を加工処理手段によって加工処理し、この加工処理手段からの加工情報を加工情報生成手段によって生成するようにしたものである。
【００１７】
請求項９の発明は、上記処理手段は上記双眼観察光学系から得られる観察像の焦点位置よりも上記双眼観察光学系に接近した極近点領域で得られた上記立体画像表示の構築不可の観察画像を排除する排除手段であることを特徴とする請求項１に記載の内視鏡装置である。
そして、本請求項９の発明では、処理手段による処理時には双眼観察光学系から得られる観察像の焦点位置よりも双眼観察光学系に接近した極近点領域で得られた立体画像表示の構築不可の観察画像を排除手段によって排除するようにしたものである。
【００１８】
【発明の実施の形態】
以下、本発明の第１の実施の形態を図１乃至図１４（Ａ），（Ｂ）を参照して説明する。図１は本実施の形態の工業用内視鏡装置１を示すものである。この内視鏡装置１には内視鏡の構成要素を一体的に組み付けた組み付けユニット２と、この組み付けユニット２を着脱可能に収納する内視鏡収納ケース３とが設けられている。
【００１９】
また、図２（Ａ）に示すように内視鏡収納ケース３には上面が開口された箱型のケース本体３ａと、このケース本体３ａの上面開口部を開閉する蓋３ｂとが設けられている。この蓋３ｂは図示しないヒンジ部を介してケース本体３ａの上面開口部の一側部に回動可能に連結されている。そして、図１では内視鏡収納ケース３内に組み付けユニット２を収納した状態で、ケース本体３ａの蓋３ｂを開いた状態を示している。
【００２０】
また、図２（Ｂ）は内視鏡装置１の組み付けユニット２の分解斜視図を示すものである。この組み付けユニット２にはスコープ部４と、固定ユニット５と、収納部６とが互いに着脱可能に設けられている。
【００２１】
さらに、スコープ部４は少なくとも検査対象空間内に挿入される可撓性を有する細長い挿入部４ａと、中間連結部４ｂと、ユニバーサルケーブル４ｃと、ベースユニット（挿入部４ａの駆動機構部）４ｄとを有している。ここで、挿入部４ａは、最先端位置に配置され、観察用の観察光学系や、照明光学系などが組み込まれたヘッド部４ａ１と、遠隔的に湾曲操作可能な湾曲部４ａ２と、細長い可撓管部４ａ３とから構成されている。そして、ヘッド部４ａ１と可撓管部４ａ３との間に湾曲部４ａ２が介設されている。
【００２２】
また、図３に示すようにヘッド部４ａ１の先端面には略半円形状の突設部４１が形成されている。この突設部４１には観察光学系１０６が配設されている。図４に示すようにこの観察光学系１０６には光学レンズ群４２と、この光学レンズ群４２によって結像される観察像を撮像する固体撮像素子であるＣＣＤ４３とが設けられている。
【００２３】
さらに、ヘッド部４ａ１の先端面には挿入部４ａの内部に軸心方向に沿って延設された内部チャンネル３３の先端開口部１０１が配設されている。この先端開口部１０１の両側には照明光学系の照明窓１０４がそれぞれ形成されている。
【００２４】
また、図４に示すように、本内視鏡装置１のヘッド部４ａ１の先端部には、光学アダプタ装着部４４が設けられている。この光学アダプタ装着部４４には、例えばバヨネット式、スクリュー式などの適宜の構成のマウント部が設けられている。そして、この光学アダプタ装着部４４には複数種類の光学アダプタ、例えば図３（Ａ）に示すように直視アダプタ１００ａ１が着脱自在に取り付けられている。
【００２５】
さらに、ヘッド部４ａ１の光学アダプタ装着部４４には直視アダプタ１００ａ１の他に、図３（Ｂ）に示す側視アダプタ１００ａ２や、図３（Ｃ）に示す３次元表示可能な双眼タイプの直視双眼アダプタ（双眼観察光学系）１００ａ３および図３（Ｄ）に示す側視双眼アダプタ（双眼観察光学系）１００ａ４などが必要に応じて適宜、選択的に着脱自在に取り付けられる構成となっている。
【００２６】
さらに、各光学アダプタ１００ａ１〜１００ａ４には、アダプタ観察光学系１０７と、アダプタ照明窓１０５と、アダプタ開口部１０３とがそれぞれ設けられている。そして、各光学アダプタ１００ａ１〜１００ａ４がヘッド部４ａ１の光学アダプタ装着部４４に装着された状態で、ヘッド部４ａ１の観察光学系１０６と、アダプタ観察光学系１０７とが連結され、同様にヘッド部４ａ１の２つの照明窓１０４とアダプタ照明窓１０５とが連結され、さらにヘッド部４ａ１の先端開口部１０１とアダプタ開口部１０３とが連結されるようになっている。
【００２７】
また、図３（Ａ）に示す直視アダプタ１００ａ１および図３（Ｂ）に示す側視アダプタ１００ａ２の各アダプタ観察光学系１０７には１つの観察窓１０８のみが設けられている。そして、このアダプタ観察光学系１０７の１つの観察窓１０８からの観察像がヘッド部４ａ１の観察光学系１０６を介してＣＣＤ４３に結像されるようになっている。そのため、この場合には２次元画像の観察像が表示されるようになっている。
【００２８】
また、図３（Ｃ）に示すステレオ計測用の直視双眼アダプタ１００ａ３および図３（Ｄ）に示す側視双眼アダプタ１００ａ４の各アダプタ観察光学系１０７にはそれぞれ左右２つの観察窓（観察光学系）１０８Ｌ，１０８Ｒが設けられている。なお、図４はヘッド部４ａ１にステレオ計測用の直視双眼アダプタ１００ａ３が装着された状態を示している。
【００２９】
そして、アダプタ観察光学系１０７の２つの観察窓１０８Ｌ，１０８Ｒからの観察像がヘッド部４ａ１の観察光学系１０６を介して２つの光学経路にて１つのＣＣＤ４３に結像されるようになっている。なお、アダプタ観察光学系１０７の２つの観察窓１０８Ｌ，１０８Ｒに対応する２つのＣＣＤ４３をヘッド部４ａ１に設ける構成にしてもよい。
【００３０】
また、ヘッド部４ａ１の光学アダプタ装着部４４には、アダプタ認識端子４５が設けられている。このアダプタ認識端子４５には一対の接点が設けられている。さらに、アダプタ認識端子４５にはケーブル４６の一端が接続されている。このケーブル４６の他端は後述するアダプタ認識用Ｉ／Ｆ（ＡＤ認識用Ｉ／Ｆ）２０７（図５参照）に接続されている。
【００３１】
また、３次元表示可能な双眼タイプの直視双眼アダプタ１００ａ３および側視双眼アダプタ１００ａ４にはアダプタ認識端子４５の一対の接点間を導通させる導通板１１９が設けられている。そして、光学アダプタ装着部４４に直視双眼アダプタ１００ａ３、または側視双眼アダプタ１００ａ４を取り付けた場合には、直視双眼アダプタ１００ａ３、側視双眼アダプタ１００ａ４の導通板１１９によりアダプタ認識端子４５の一対の接点間が導通状態となる。この導通状態がケーブル４６を介してアダプタ認識部１１５によって検知されるようになっている。
【００３２】
また、挿入部４ａの可撓管部４ａ３の基端部には中間連結部４ｂの先端部が連結されている。この中間連結部４ｂには図３（Ａ）に示すように使用者が片手で把持可能なグリップ部４ｂ１が設けられている。このグリップ部４ｂ１の後端部にはチャンネルポート部４ｂ２とユニバーサルケーブル４ｃの先端部との連結部とが並設されている。
【００３３】
ここで、チャンネルポート部４ｂ２には挿入部４ａの内部に軸心方向に沿って延設された内部チャンネル３３の鉗子口（基端側開口端）３５が配設されている。さらに、ユニバーサルケーブル４ｃの連結部は挿入部４ａの軸心方向に対して斜めに傾斜させた状態で配置されている。
【００３４】
なお、中間連結部４ｂの先端側には挿入部４ａの急激な曲げを防止する挿入部保護ゴム３８、基端側にはユニバーサルケーブル４ｃの急激な曲げを防止するユニバーサルケーブル保護ゴム３９がそれぞれ設けられている。
【００３５】
また、ユニバーサルケーブル４ｃの基端部はベースユニット４ｄに連結されている。このベースユニット４ｄには、図５に示すようにユニットケース４ｄ１の内部に電動湾曲装置５１と、この電動湾曲装置５１の動作を制御する電動湾曲制御部５２とカメラコントロールユニット（ＣＣＵ）５３などが内蔵されている。
【００３６】
電動湾曲装置５１には上下湾曲操作用及び左右湾曲操作用にそれぞれ対応する２つのモータユニット５５ａ，５５ｂが設けられている。各モータユニット５５ａ，５５ｂは、出力軸５５ａ１，５５ｂ１と、駆動力を発生させる駆動源となるモータ部５５ａ２，５５ｂ２と、出力軸５５ａ１，５５ｂ１の回転量を検出するポテンショメータ１０４ａ，１０４ｂとが設けられている。
【００３７】
したがって、電動湾曲装置５１の上下湾曲操作用のモータユニット５５ａにより上下湾曲操作用の２本のアングルワイヤが牽引動作され、また、左右湾曲操作用のモータユニット５５ｂによって左右湾曲操作用の２本のアングルワイヤが牽引動作されることにより、湾曲部４ａ２が上下方向、左右方向の４方向、およびこれらを組み合わせた任意の方向に遠隔にて湾曲動作を行なうようになっている。このとき、各ポテンショメータ１０４ａ，１０４ｂによって各出力軸５５ａ１，５５ｂ１の各スプロケット５８ａ，５８ｂの回転位置を検知し、ポテンショメータ１０４ａ，１０４ｂによる各アングルワイヤの位置制御により湾曲部４ａ２の湾曲動作の制御を行なっている。
【００３８】
また、電動湾曲制御部５２には、マイクロコンピュータ（以下マイコンと略記する）１０７と、Ｄ／Ａコンバータ１０８と、アンプ１０９と、ポテンショメータ用ＡＤ変換部１１０とが設けられている。ここで、マイコン１０７はリモコン用Ａ／Ｄ変換部１０６と通信ケーブルによって電気的に接続されている。そして、このマイコン１０７ではリモコン１６からの湾曲指示信号に対応するデジタルの駆動信号を生成するようになっている。このマイコン１０７から出力されるデジタルの駆動信号はＤ／Ａコンバータ１０８に入力され、アナログの駆動信号に変換されるようになっている。さらに、Ｄ／Ａコンバータ１０８の出力側はアンプ１０９を介してモータ部５５ａ２，５５ｂ２に接続されている。そして、Ｄ／Ａコンバータ１０８で変換されたアナログの駆動信号をアンプ１０９によって増幅処理し、各モータ部５５ａ２，５５ｂ２に出力するようになっている。
【００３９】
さらに、マイコン１０７は、ＣＰＵ、プログラムが記憶されているＲＯＭ、ＲＡＭを有すると共に、差分演算部１１１と、ポテンショメータ用ＡＤ変換部１１０とを有している。ポテンショメータ用ＡＤ変換部１１０の入力側は各ポテンショメータ１０４ａ，１０４ｂ、出力側は差分演算部１１１にそれぞれ接続されている。そして、ポテンショメータ用ＡＤ変換部１１０は各ポテンショメータ１０４ａ，１０４ｂの回転位置を示す抵抗値をＡ／Ｄ変換するようになっている。また、差分演算部１１１にはポテンショメータ用ＡＤ変換部１１０からの出力信号が入力され、各ポテンショメータ１０４ａ，１０４ｂで検知した各スプロケット５８ａ，５８ｂの回転量をリモコン用Ａ／Ｄ変換部１０６からの湾曲指示信号との差分を取ってフィードバック制御を行なうようになっている。
【００４０】
さらに、図２のようにベースユニット４ｄのユニットケース４ｄ１の端面には、ライトガイド接続コネクタ部４ｄ２が突設されている。このライトガイドコネクタ部４ｄ２にはユニバーサルケーブル４ｃ側から延出されるライトガイドの基端部が連結されている。
【００４１】
また、ベースユニット４ｄのユニットケース４ｄ１の側板には固定ユニット５との連結時にベースユニット４ｄの移動をガイドする上下２段の突起状の着脱ガイド４ｄ３が略水平方向に沿って延設されている。さらに、このユニットケース４ｄ１の端面には、複数の固定金具４ｄ４が突設されている。そして、ベースユニット４ｄと固定ユニット５との連結時にはこれらの固定金具４ｄ４を固定ユニット５側の図示しない受け部に係脱可能に係止させることにより、ベースユニット４ｄを固定ユニット５に固定するようになっている。
【００４２】
また、固定ユニット５には電源ユニット７と、光源装置８と、記録ユニット９とが設けられている。ここで、電源ユニット７には電源コネクタ７ａと電源カバー７ｂとが設けられている。電源コネクタ７ａには、電源ケーブル７ｃが接続されている。さらに、電源ユニット７はスイッチ７ｄを介して主電源供給部７ｅに接続されている。
【００４３】
また、記録ユニット９には板金製のフロントパネル９ａ上に複数の記録媒体、例えばコンパクトフラッシュカード（メモリーカード）などを挿入する挿入孔（記録媒体スロット）９ｂが形成されている。さらに、この記録ユニット９の側板９ｃにはベースユニット４ｄの移動をガイドする上下２段の凹陥状のガイド溝９ｄが略水平方向に沿って延設されている。これらのガイド溝９ｄにはスコープ部４のベースユニット４ｄの着脱ガイド４ｄ３が係脱可能に係合するようになっている。
【００４４】
また、図２（Ｂ）に示すように光源装置８の外装カバー８ａの内部には図示しない光源ランプを有するランプボックスと、中継基板と、ランプライン基板と、ＥＬコネクタ基板と、ＩＬスイッチと、バラストと、ファンなどがそれぞれ設けられている。
【００４５】
さらに、光源装置８の外装カバー８ａにはスコープ部４のベースユニット４ｄとの接合面にベースユニット４ｄのライトガイド接続コネクタ部４ｄ２と係脱可能に係合する図示しない受部が設けられている。
【００４６】
そして、固定ユニット５の光源装置８とスコープ部４のベースユニット４ｄとの連結時には記録ユニット９のガイド溝９ｄにスコープ部４のベースユニット４ｄの着脱ガイド４ｄ３が挿入される状態で係合するようになっている。この状態でガイド溝９ｄに沿って着脱ガイド４ｄ３がスライド移動しながら固定ユニット５の光源装置８にスコープ部４のベースユニット４ｄが着脱可能に連結されるようになっている。このとき、ベースユニット４ｄのライトガイド接続コネクタ部４ｄ２が光源装置８の図示しない受部に係脱可能に係合するとともに、第１の接続機構１０の固定金具４ｄ４が固定ユニット５側の図示しない受部に係脱可能に係止されて固定ユニット５の光源装置８とスコープ部４のベースユニット４ｄとが連結されるようになっている。
【００４７】
さらに、この固定ユニット５とスコープ部４のベースユニット４ｄとの連結時には電気接点を介して主電源供給部７ｅと、電動湾曲制御部５２およびカメラコントロールユニット５３との間が接続されるようになっている。このとき、カメラコントロールユニット５３にはベースユニット４ｄと固定ユニット５との間の電気接点を介して後述するＬＣＤモニタ１３ｃが接続され、スコープ部４のＣＣＤで撮像された内視鏡観察像がこのＬＣＤモニタ１３ｃに表示されるようになっている。
【００４８】
また、光源装置８の外装カバー８ａの上面にはリモコンコネクタ１１２と、ＢＮＣコネクタ１１３と、表示装置１３とが設けられている。ここで、表示装置１３には円柱状のモノボッド１３ａの上部にヒンジ機構１３ｂを介して例えばＬＣＤモニタ１３ｃが取付けられている。そして、ＬＣＤモニタ１３ｃはヒンジ機構１３ｂを介して開閉可能に支持されている。
【００４９】
さらに、光源装置８の外装カバー８ａの側面には図２（Ｂ）に示すようにランプ交換窓１４が配設されているとともに、収納部６の取付け用の複数の取付けピン１５が突設されている。
【００５０】
また、収納部６は、室内が複数、本実施の形態では２つに仕切られ、幅広のスコープ収納ボックス（挿入部収納部）６ａと、幅狭のリモコン収納部（ケーブル収納部）６ｂとが形成されている。ここで、スコープ収納ボックス６ａにはスコープ部４の挿入部４ａと、中間連結部４ｂと、ユニバーサルケーブル４ｃとを略リング状に丸めた形状で束ねた状態で収納できるようになっている。さらに、収納部６にはスコープ収納ボックス６ａの上面開口部を開閉する収納ボックス蓋６ｃが設けられている。
【００５１】
また、リモコン収納部６ｂにはスコープ部４のベースユニット４ｄを操作するリモコン（入力部）１６と、このリモコン１６に一端が接続された可撓性のケーブル１７とが収納されるようになっている。ここで、ケーブル１７の他端部にはコネクタ１７ａが連結されている。このコネクタ１７ａは固定ユニット５のリモコンコネクタ１１２に着脱可能に接続されている。
【００５２】
また、リモコン１６には図５に示すように少なくともスコープ部４の湾曲部４ａ２の湾曲方向を上下左右方向に遠隔的に湾曲操作するための指示入力手段であるジョイスティック１９と、パワーボタン２０とが設けられている。パワーボタン２０は電源ユニット７のスイッチ７ｄに接続されている。
【００５３】
また、ジョイスティック１９は基端部が回動支点を介して回動可能に支持されている。さらに、リモコン１６には、可変抵抗器１９ｃと、ＡＤ変換部１０６とが設けられている。可変抵抗器１９ｃは、ジョイスティック１９の傾き方向及び角度に応じて抵抗値が変化する。さらに、ＡＤ変換部１０６は、可変抵抗器１９ｃの抵抗値から電圧変換されるアナログの電圧値をＡ／Ｄ変換する。
【００５４】
このリモコン用Ａ／Ｄ変換部１０６は、固定ユニット５内の電動湾曲制御部５２に電気的に接続されている。そして、リモコン用Ａ／Ｄ変換部１０６でデジタル化された湾曲指示信号が電動湾曲制御部５２に送信されるようになっている。
【００５５】
さらに、収納部６における固定ユニット５側への取付け面には光源装置８の取付けピン１５と対応する位置に図示しないピン挿入孔が形成されている。そして、光源装置８の取付けピン１５を収納部６のピン挿入孔に挿入することにより、収納部６が光源装置８の外装カバー８ａの側面に着脱可能に連結されている。
【００５６】
また、収納部６が光源装置８の外装カバー８ａの側面に連結された状態で、略Ｌ字状のスコープ収納ボックス押え部材２１が固定ユニット５側にねじ止め固定されている。
【００５７】
さらに、本実施の形態の内視鏡装置１では組み付けユニット２を内視鏡収納ケース３に対して着脱する際に使用する２つの取っ手２３ａ、２３ｂと、ショルダーベルト２４とが固定されている。ここで、１つの取っ手２３ａは固定ユニット５における記録ユニット９の上部、他方の取っ手２３ｂは光源装置８の外装カバー８ａの上部にそれぞれ取付けられている。同様にショルダーベルト２４の一端部は固定ユニット５における記録ユニット９の上部、他端部は光源装置８の外装カバー８ａの上部にそれぞれ固定されている。なお、組み付けユニット２の底部には複数のゴム脚２５が固定されている。
【００５８】
なお、本内視鏡装置では、図５に示すように直視双眼アダプタ１００ａ３、側視双眼アダプタ１００ａ４と組合わせて使用する３次元グラス（表示手段）４９を有している。これは、ＬＣＤモニタ１３ｃの代わりに使用しても、補助的に使用しても良く、ＬＣＤモニタ１３ｃの映像出力コネクタ４７や、リモコン１６に設けたリモコン映像出力コネクタ４８に取り付けてもよい。
【００５９】
また、固定ユニット５には画像処理部１３１が設けられている。この画像処理部１３１は図６に示すように主制御部であるＣＰＵ２０１を備えている。このＣＰＵ２０１のバスにはＲＯＭ２０２と、ＲＡＭ２０３と、画像処理手段２０４と、グラフィック処理手段２０５と、記録ユニット９と、記録ユニットＩ／Ｆ（インターフェース）２０６と、ＡＤ認識用Ｉ／Ｆ２０７と、リモコンＩ／Ｆ２０８とが接続される。
【００６０】
ＣＰＵ２０１はＲＯＭ２０２に記録されたプログラムによって起動し、ＲＡＭ２０３をワーク領域として使用することでシステム全体の制御を行う。画像処理手段２０４はカメラコントロールユニット５３からの映像信号をＡ／Ｄ変換し、図示しないフレームメモリに記憶することで画像をフリーズ・フリーズ解除する。また、カメラコントロールユニット５３からの映像信号を後述する画像処理を施した上でグラフィック処理手段２０５に出力する。
【００６１】
グラフィック処理手段２０５は、現在時刻や、画像記録、再生時における当該画像のファイル名、メニューなどグラフィック情報を重畳し、Ｄ／Ａ変換により映像信号に変換して出力する。
【００６２】
また、ＣＰＵ２０１はリモコン１６上の各種スイッチ操作によって画像の記録・再生指示が発生すると、記録ユニットＩ／Ｆ２０６を介して記録ユニット９に記録・再生指示を出す。記録ユニットＩ／Ｆ２０６は例えばＲＳ−２３２Ｃである。
【００６３】
記録ユニット９はカメラコントロールユニット５３からの映像信号をＡ／Ｄ変換し、ＪＰＥＧなどに圧縮した上で、記録媒体スロット９ｂに挿入されている記録媒体、例えばコンパクトフラッシュカードなどに記録する。
【００６４】
また、アダプタ認識端子４５からの信号はＡＤ認識用Ｉ／Ｆ２０７を介して入力される。ＡＤ認識用Ｉ／Ｆ２０７は例えばＩ／Ｏポートである。さらに、リモコン１６からの操作信号はリモコンＩ／Ｆ２０８を介して入力される。リモコンＩ／Ｆ２０８は例えばＲＳ−２３２Ｃである。
【００６５】
また、図７は固定ユニット５のソフトウエアブロックの構成である。図７中で、２１０はシステム制御部である。このシステム制御部２１０はシステム全体の制御をつかさどる。このシステム制御部２１０には操作検知部２１１と、立体画像合成指示部２１２と、立体視判別部２１３と、カメラコントロールユニット５３からの画像情報上に３次元グラス４９への立体画像表示の構築可不可を判別する判別部（判別手段）１１７と、この判別部１１７からの判別結果に基いて構築不可情報の入力時に立体画像表示の構築不可の観察画像が表示されないように処理する処理手段であるビデオ加工指示部２１４およびグラフィック加工指示部２１５と、記録・再生指示部２１６と、アダプタ認識部１１５とがそれぞれ接続されている。ここで、判別部１１７は双眼観察光学系から得られる観察像の焦点位置よりも双眼観察光学系に接近した極近点領域で得られた立体画像表示の構築不可の観察画像が含まれているか否かを判別する機能を有する。さらに、ビデオ加工指示部２１４およびグラフィック加工指示部２１５は極近点画像などの立体画像表示の構築不可の観察画像が表示されないように画像処理する機能を有する。
【００６６】
さらに、操作検知部２１１にはリモコン１６が接続されている。また、立体画像合成指示部２１２には画像処理手段２０４が接続されている。アダプタ認識部１１５にはＡＤ認識用Ｉ／Ｆ２０７が接続されている。ビデオ加工指示部２１４には画像処理手段２０４が接続されている。グラフィック加工指示部２１５にはグラフィック処理手段２０５が接続されている。記録・再生指示部２１６には記録ユニットＩ／Ｆ２０６が接続されている。
【００６７】
そして、操作検知部２１１はリモコン１６などの操作を受け付け、システム制御部２１０に通知する。さらに、システム制御部２１０は操作検知部２１１を介して検知した立体画像合成指示を立体画像合成指示部２１２に通知する。このとき、立体画像合成指示部２１２は画像処理手段２０４に立体画像合成を指示する。（立体画像合成自体の構成・作用は特開２００２−１１２２９０を参照。）
さらに、ＡＤ認識用Ｉ／Ｆ２０７からはアダプタ認識端子４５からの信号が入力され、直視、または側視の双眼アダプタ１００ａ３、１００ａ４が接続されているか否かを認識し、システム制御部２１０に通知する。例えばアダプタ認識端子４５からの信号がＨｉｇｈであれば直視、または側視の双眼アダプタ１００ａ３、１００ａ４が接続され、Ｌｏｗであれば接続されていないことを意味する。
【００６８】
また、判別部１１７は観察対象物が極近点に位置するか否かを判別し、システム制御部２１０に通知する。立体視判別部２１３は３次元表示されているか否かの情報をＴＲＵＥ（３次元表示）またはＦＡＬＳＥ（２次元表示）の立体視判別フラグとして保持している。
【００６９】
ここで、システム起動時はＦＡＬＳＥに初期化されている。システム制御部２１０は操作検知部２１１を介して検知した画像加工指示をビデオ加工指示部２１４に通知し、ビデオ加工指示部２１４は画像処理手段２０４に後述のビデオ加工を指示する。
【００７０】
さらに、システム制御部２１０は操作検知部２１１を介して検知した画像加工指示をグラフィック加工指示部２１５に通知し、グラフィック加工指示部２１５はグラフィック処理手段２０５に後述のグラフィック加工を指示する。
【００７１】
また、システム制御部２１０は操作検知部２１１を介して検知した記録・再生指示を記録・再生指示部２１６に通知し、記録・再生指示部２１６は記録ユニット９に画像の記録または再生を指示する。
【００７２】
次に、上記構成の作用について説明する。本実施の形態の工業用内視鏡装置１の使用時にはスコープ部４のヘッド部４ａ１に必要に応じて各種の光学アダプタが着脱可能に装着される。例えば、２次元画像による観察時には図３（Ａ）に示す直視アダプタ１００ａ１や、図３（Ｂ）に示す側視アダプタ１００ａ２がヘッド部４ａ１の光学アダプタ装着部４４に取り付けられる。また、３次元画像による観察時には図３（Ｃ）に示す３次元表示可能な双眼タイプの直視双眼アダプタ１００ａ３および図３（Ｄ）に示す側視双眼アダプタ１００ａ４がヘッド部４ａ１の光学アダプタ装着部４４に取り付けられる。
【００７３】
ここでは、図４に示すようにヘッド部４ａ１の光学アダプタ装着部４４に図３（Ｃ）に示す直視双眼アダプタ１００ａ３を取付けた場合の内視鏡観察について説明する。
【００７４】
まず、図４のヘッド部４ａ１に直視双眼アダプタ１００ａ３を取り付けた状態で、スコープ部４の挿入部４ａが被検体の検査対象空間内に挿入される。ここでは図９に示すように検査対象物はタービンブレード２２１とし、図９はそのタービンブレード２２１に異物２２２が付着している状態を示している。
【００７５】
そして、スコープ部４の挿入部４ａが検査対象のタービンブレード２２１の近傍位置まで挿入される。このとき、タービンブレード２２１に対して適切な距離を確保できる位置にスコープ部４の先端を位置させる。例えば、計測を主に行なう場合には、タービンブレード２２１との間隔を計測精度が最も良いとされる１５ｍｍ〜３０ｍｍ前後の間隔に保つ。
【００７６】
この状態で、タービンブレード２２１の内視鏡観察が開始される。そして、直視双眼アダプタ１００ａ３の左右２つの観察窓１０８Ｌ，１０８Ｒからはその際の内視鏡観察画像が取り込まれる。このとき、直視双眼アダプタ１００ａ３の２つのアダプタ観察窓１０８Ｒ、１０８Ｌを通して得られる画像は、ＬＣＤモニタ１３ｃ上では図１１（Ａ）に示すように表示される。この状態では、ＬＣＤモニタ１３ｃの一つの画面上に、右眼アダプタ観察窓１０８Ｒの画像ＩＲが右側に、左眼アダプタ観察窓１０８Ｌの画像ＩＬが左側にそれぞれ並設状態で映し出される。
【００７７】
同じく、３次元グラス４９上に２次元表示した場合には、図１１（Ａ）の両方の画像ＩＲ，ＩＬが個別に表示される。
【００７８】
これを３次元グラス４９上で、３次元表示とする場合には、この２つの画像ＩＲ，ＩＬを処理し、１つの画像で立体像として認識できるようにする。この場合、図１１（Ａ）に示す左右の画像ＩＲ，ＩＬは図１１（Ｂ）のように立体像として表示される。
【００７９】
このときの立体画像の合成について図８に示すフローチャートを参照して説明する。（特開２００２−１１２２９０を参照。）まず、ステップＳ１で立体画像合成指示の有無が判断される。ここで、立体画像合成指示が有りと判断された場合にはステップＳ２に進む。
【００８０】
このステップＳ２ではアダプタ認識端子４５からの出力信号がＨｉｇｈであるか否かが判断される。このステップＳ２でアダプタ認識端子４５からの出力信号がＨｉｇｈである場合には直視、または側視の双眼アダプタ１００ａ３、１００ａ４が接続されていると判断され、次のステップＳ３に進む。なお、ステップＳ２でアダプタ認識端子４５からの出力信号がＨｉｇｈでない場合には直視、または側視の双眼アダプタ１００ａ３、１００ａ４が接続されていない状態と判断され、そのまま処理が終了する。
【００８１】
また、ステップＳ３では立体視判別フラグがＦＡＬＳＥ（２次元表示）であるか否かが判断される。このステップＳ３で立体視判別フラグがＦＡＬＳＥである場合には次のステップＳ４に進む。このステップＳ４では立体画像合成指示部２１２に立体画像合成が指示される。その後、ステップＳ５で立体視判別フラグがＴＲＵＥ（３次元表示）として保持される。
【００８２】
また、ステップＳ３で立体視判別フラグがＦＡＬＳＥでない場合には次のステップＳ６に進む。このステップＳ６では立体画像合成指示部２１２に立体画像合成解除が指示される。その後、ステップＳ７で立体視判別フラグがＦＡＬＳＥ（２次元表示）として保持される。
【００８３】
そして、この３次元観察状態で、タービンブレード２２１上の異物２２２を回収するために、図９に示すようにチャンネルポート部４ｂ２から鉗子１１４を挿入する。この鉗子１１４には細長い可撓性の挿入部１１４ａの先端部に把持部１１４ｂが設けられている。そして、図１０に示すようにアダプタ開口部１０３から鉗子１１４の先端部の把持部１１４ｂを突出させる。
【００８４】
この時、２次元表示では図１２（Ａ）に示すようにＬＣＤモニタ１３ｃの一つの画面上に、右眼アダプタ観察窓１０８Ｒからの鉗子１１４の画像ＩＲが右側に、左眼アダプタ観察窓１０８Ｌからの鉗子１１４の画像ＩＬが左側にそれぞれ並設状態で映し出される。これを３次元グラス４９上で３次元表示すると通常では図１２（Ｂ）に示すように、鉗子１１４の根元が２重にダブって見えてしまう。
【００８５】
これは、観察対象物が直視双眼アダプタ１００ａ３の２つのアダプタ観察窓１０８Ｒ、１０８Ｌの極近点に位置する場合、ピントが合う位置を基準として画像を再構築し、３次元画像として表示する為、ピントが合わない極近点の画像についてはずれが生じ、正確な画像表示がされないことでこの現象が生じる。
【００８６】
そこで、まず、ヘッド部４ａ１に設けたアダプタ認識端子４５にて直視双眼アダプタ１００ａ３が取り付けられたことをケーブル４６を介してＡＤ認識用Ｉ／Ｆ２０７に伝達させる。すると、ＡＤ認識用Ｉ／Ｆ２０７では、極近点位置の画像をマスク処理するビデオ加工指示部２１４およびグラフィック加工指示部２１５をスタンバイ状態にする。
【００８７】
次に、判別部１１７にて画像が図１１（Ｂ）か図１２（Ｂ）かどうかの判別を行なう。つまり、図１０に示すようにアダプタ開口部１０３から鉗子１１４が突出された状態では、図１２（Ｂ）のような極近点での画像が得られる。この場合には、判別部１１７にてその画像があると判別し、ビデオ加工指示部２１４およびグラフィック加工指示部２１５は、それぞれ画像処理手段２０４およびグラフィック処理手段２０５に加工処理を指示する。
【００８８】
このとき、画像処理手段２０４は、該当部分に以下のマスク加工処理を行う。例えば、図１３（Ａ）に示すように、極近点領域の該当部分に塗りつぶし処理を施した塗りつぶし処理部２３１を設けてもよい。或いは、図１３（Ｂ）に示すように該当部分をカットしたカット処理部２３２を設けてもよい。
【００８９】
また、図１４（Ａ）に示すように３次元グラス４９の立体表示画像内にグラフィックメニュー２３３を表示している場合は、グラフィック処理手段２０５により図１４（Ｂ）に示すようにメニュー２３３の表示位置をカット処理部２３２に移動させてもよい。
【００９０】
また、グラフィック処理手段２０５が、図１３（Ｃ）に示すように、該当部分上に文字情報２３４を表示することでマスク処理してもよい。
【００９１】
なお、この判別部１１７での立体画像表示の構築可不可の判別は次のように行なう。
【００９２】
直視双眼アダプタ１００ａ３、または側視双眼アダプタ１００ａ４からは２つのアダプタ観察窓１０８Ｒ、１０８Ｌを通して、視差のある画像情報を取得できる。この画像情報に基づき３角測量の原理から被写体までの距離を測定することができる。判別部１１７では上記被写体からの距離を計算し、極近点位置に被写体が存在するか否かを判別する。
【００９３】
たとえば、計測精度が最も良いとされる１５ｍｍ〜３０ｍｍよりも近点に上記被写体が位置するか否かを判別部１１７で判別し、該当部分に上述したマスク加工処理を行う。
【００９４】
また、リモコン１６のスイッチあるいはＬＣＤモニタ１３ｃ上のメニューに表示される図示しないタッチパネル上のＳＷを押して、それを操作検知部２１１が検知し、システム制御部２１０を介して判別部１１７に通知する。つまり操作者の指示により極近点位置に被写体が存在するか否かを判別してもよい。そして、極近点位置に被写体が存在する場合は、該当部分に上述したビデオおよびグラフィックの加工処理を行う。
【００９５】
そこで、上記構成のものにあっては次の効果を奏する。すなわち、本実施の形態ではカメラコントロールユニット５３からの画像情報上に３次元グラス４９への立体画像表示の構築可不可を判別する判別部１１７と、この判別部１１７からの判別結果に基いて構築不可情報の入力時に立体画像表示の構築不可の観察画像が表示されないように処理するビデオ加工指示部２１４およびグラフィック加工指示部２１５とを設けている。そして、３次元の立体観察時に、立体表示画面上に生じた不適切な画像、例えばピントが合わない極近点の画像を画面上から排除する処理を行なうことにより、観察時の邪魔を排除でき、検査効率が上がるという効果がある。
【００９６】
また、例えばピントが合わない極近点の画像などの不適切な画像を排除することで立体情報のノイズを除き、適切な立体画像を構築することができる。
【００９７】
一般的に、３次元の立体観察時に、特に立体表示画面上に２重の画像や、ゆがんだ画像がある場合には、立体感を十分に掴めず、その効果を十分に得られずに逆に検査効率が低下する可能性がある。これに対して、本発明では、立体表示画面上に生じた２重の画像や、ゆがんだ画像などの不適切な画像を画面上から排除することにより、立体感を十分に掴めなくなる状態を回避でき、安全かつ確実な検査を行なうことができる。
【００９８】
また、図１５乃至図１７は本発明の第２の実施の形態を示すものである。本実施の形態は第１の実施の形態（図１乃至図１４（Ａ），（Ｂ）参照）の工業用内視鏡装置１における制御回路の構成を次の通り変更したものである。なお、これ以外の部分は第１の実施の形態の内視鏡装置１と同一構成になっており、第１の実施の形態の内視鏡装置１と同一部分には同一の符号を付してここではその説明を省略する。
【００９９】
すなわち、本実施の形態では、固定ユニット５に、図１５に示すように、アダプタ認識部１１５の他に、カメラコントロールユニット５３からの画像情報上に極近点領域での高輝度画像が含まれているかを判別する輝度判別部２４１と、高輝度画像を画像処理する処理部２４２とを設けている。
【０１００】
次に、上記構成の本実施の形態の作用について説明する。まず、ヘッド部４ａ１に設けたアダプタ認識端子４５にて直視双眼アダプタ１００ａ３が取り付けられた状態がケーブル４６を介してＡＤ認識用Ｉ／Ｆ２０７に伝達される。すると、ＡＤ認識用Ｉ／Ｆ２０７では、高輝度画像を加工処理するビデオ加工指示部２１４をスタンバイ状態にする。
【０１０１】
次に、輝度判別部２４１にて極近点画像に著しいハレーションかないどうかの判別を行なう。つまり、図１０に示すようにアダプタ開口部１０３から鉗子１１４が突出された場合、図１６に示すような極近点での画像を得た場合で、その画像に著しい高輝度部分、つまりハレーション２３５がある場合には、輝度判別部２４１にてその画像情報があると判別し、ビデオ加工指示部２１４は画像処理手段２０４に加工処理を指示する。
【０１０２】
その場合、このハレーション２３５の表示部分に図１７（Ａ）に示す塗りつぶし処理部２３６を設けてもよい。或いは、図１７（Ｂ）に示すように該当部分をカットしたカット処理部２３７を設けてもよい。また、グラフィック処理手段２０５が、図１７（Ｃ）に示すように、該当部分上に文字情報２３８を表示することでマスク処理してもよい。
【０１０３】
輝度判別部２４１での判別方法は以下の通りである。まず、直視双眼アダプタ１００ａ３または側視双眼アダプタ１００ａ４からの画像情報は画像処理手段２０４においてＡ／Ｄ変換の上、輝度信号と色差信号に分離されフレームメモリに記憶され、輝度信号のみが輝度判別部２４１に入力される。輝度判別部２４１では輝度信号の中でハレーションを起こす程度の高輝度画素を判別する。
【０１０４】
そして、フレームメモリ上の当該画素について上述のようにビデオの加工処理を行う。または当該画素についてグラフィックの加工処理を行う。
【０１０５】
そこで、本実施の形態では３次元の立体観察時に、立体表示画面上に生じた不適切な画像、例えば図１６に示すような極近点での画像に著しい高輝度部分、つまりハレーション２３５が生じた不適切な画像を画面上から排除することにより、観察時の邪魔を排除でき、検査効率が上がるという効果がある。
【０１０６】
さらに、画像上に高輝度情報がある場合、低輝度情報が暗く表示され、傷や損傷などを暗くて確認しにくいという可能性があるが、それを回避できる効果がある。
【０１０７】
また、高輝度を排除することが立体情報のノイズを除き、適切な立体画像を構築することができる。
【０１０８】
なお、上記第１の実施の形態および第２の実施の形態において、極近点画像や極近点かつ高輝度画像がない部分が画像の中央に来るように、画像をシフトして表示してもよい。
【０１０９】
また、光学アダプタの認識を本実施の形態のように自動ではなく、リモコン１６上に設けたアダプタ認識ボタン（図示しない）で、双眼アダプタを取り付けたことをＡＤ認識用Ｉ／Ｆ２０７に伝達してもよい。また、リモコン１６上の機械的なスイッチではなく、ＬＣＤモニタ１３ｃ上のメニューに表示されるタッチパネル上のＳＷを押してもよい。
【０１１０】
また、図１８（Ａ），（Ｂ）は本発明の第３の実施の形態を示すものである。本実施の形態は第１の実施の形態（図１乃至図１４（Ａ），（Ｂ）参照）の内視鏡装置１の鉗子１１４側に工夫をして、上記不具合を回避する例を示す。
【０１１１】
本実施の形態には図１８（Ｂ）に示すように、複数のアーム１２３ａ間にそれぞれ関節１２２が配設された多自由度鉗子１２３が設けられている。この多自由度鉗子１２３の関節１２２はマイクロモータ１２４によって軸回りに回動し、各アーム１２３ａを上下方向に回動駆動する。さらに、多自由度鉗子１２３の先端部には把持部１２３ｂが設けられている。
【０１１２】
次に、上記構成の本実施の形態の作用について説明する。本実施の形態では図１８（Ａ）に示すように、多自由度鉗子１２３の先端部の各アーム１２３ａを屈曲させることにより、直視双眼アダプタ１００ａ３の２つのアダプタ観察窓１０８Ｒ、１０８Ｌの視野範囲θの外側から鉗子１２３の先端部の把持部１２３ｂを視野範囲θ内に持ってくる（挿入する）ことにより、アダプタ観察窓１０８Ｒ、１０８Ｌの極近点領域の外で鉗子１２３を表示させることができる。そのため、直視双眼アダプタ１００ａ３の２つのアダプタ観察窓１０８Ｒ、１０８Ｌの極近点領域で鉗子１２３が画像として入ることはない。
【０１１３】
そこで、上記構成の本実施の形態でも第１の実施の形態と同様に３次元の立体観察時に、立体表示画面上に生じた不適切な画像、例えばピントが合わない極近点の画像を画面上から排除する処理を行なうことができ、観察時の邪魔を排除して検査効率が上がるという効果がある。
【０１１４】
また、例えばピントが合わない極近点の画像などの不適切な画像を排除することで立体情報のノイズを除き、適切な立体画像を構築することができる。
【０１１５】
なお、多自由度鉗子１２３ではなく、形状記憶合金や人工筋肉等を利用し、端部を変位自在な鉗子類であっても同様の効果を有する。
【０１１６】
また、図１９は本発明の第４の実施の形態を示すものである。本実施の形態は第１の実施の形態（図１乃至図１４（Ａ），（Ｂ）参照）の工業用内視鏡装置１におけるスコープ部４のヘッド部４ａ１に先端フード１２５を装着し、観察物体が直視双眼アダプタ１００ａ３の極近接領域にはいることをこの先端フード１２５によって防止したものである。
【０１１７】
そこで、本実施の形態では３次元の立体観察時に、先端フード１２５によって直視双眼アダプタ１００ａ３と観察物体との間の距離を極近接領域よりも大きく設定することができる。そのため、例えばピントが合わない直視双眼アダプタ１００ａ３の極近点に観察物体が挿入されることがないので、立体表示画面上にピントが合わない不適切な画像が挿入されることを防止することができ、観察時の邪魔を排除して検査効率が上がるという効果がある。
【０１１８】
また、図２０および図２１は本発明の第５の実施の形態を示すものである。本実施の形態は第１の実施の形態（図１乃至図１４（Ａ），（Ｂ）参照）の内視鏡装置１における画像処理部１３１の構成を次の通り変更したものである。
【０１１９】
すなわち、本実施の形態では３次元グラス４９側にマスキング回路（特開２００２−１１２２９０参照）が具備されている。さらに、図２０に示すように固定ユニット５の画像処理部１３１には加工情報出力Ｉ／Ｆ２５１が設けられている。この加工情報出力Ｉ／Ｆ２５１は３次元グラス４９に対して加工情報を出力する。
【０１２０】
また、図２１においてシステム制御部２１０には加工情報生成部２５２がさらに設けられている。この加工情報生成部２５２は加工情報出力Ｉ／Ｆ２５１に接続されている。
【０１２１】
次に、上記構成の作用について説明する。本実施の形態では第１の実施の形態と同様に直視双眼アダプタ１００ａ３の極近点位置に被写体が存在する場合は、加工情報生成部２５２は該当部分を示す画面座標を算出し、加工情報出力Ｉ／Ｆ２５１より出力する。３次元グラス４９では加工情報出力Ｉ／Ｆ２５１からの出力信号が受信される。そして、受信した画面座標部分を第１の実施の形態と同様にマスク加工処理する。
【０１２２】
そこで、上記構成のものにあっては次の効果がある。すなわち、第１の実施の形態では内視鏡装置１側で構築不可情報の入力時に立体画像表示の構築不可の観察画像が表示されないように加工処理を実現したが、本実施の形態ではこの加工処理を３次元グラス４９側で実現することができる。そのため、第１の実施の形態で述べた効果に加え、内視鏡装置１自体のコストダウンになる。また、３次元グラス４９側に不可欠の回路を使用することでコストダウンになる。
【０１２３】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  左右２つの観察光学系を有する双眼観察光学系と、該光学系の両方の観察像を立体画像情報として構築し表示する表示手段を有する内視鏡装置において、立体表示として構築可不可を判別する判別手段と、構築不可情報を処理する処理手段を設けたことを特徴とする内視鏡装置。
【０１２４】
（付記項２）  付記項１において、上記判別手段は上記双眼観察光学系から得られる観察像に対する３角測量による被写体距離測定手段であることを特徴とする内視鏡装置。
【０１２５】
（付記項３）  付記項１において、上記判別手段は上記双眼観察光学系から得られる観察像中の高輝度部抽出手段であることを特徴とする内視鏡装置。
【０１２６】
（付記項４）  付記項１において、構築不可の極近点領域で得られた観察画像を加工処理する加工処理手段を設けたことを特徴とする内視鏡装置。
【０１２７】
（付記項５）  付記項１において、構築不可の極近点領域で得られた高輝度観察画像を加工処理する加工処理手段を設けたことを特徴とする内視鏡装置。
【０１２８】
（付記項６）  付記項４、５において、加工処理手段は、極近点領域で得られた高輝度観察画像の高輝度部分をマスクするマスク手段であることを特徴とする内視鏡装置。
【０１２９】
（付記項７）  付記項１において、構築不可の極近点領域で得られた観察画像を加工処理する加工情報生成手段と加工情報出力手段を設けたことを特徴とする内視鏡装置。
【０１３０】
（付記項８）  付記項１において、構築不可の極近点領域で得られた高輝度観察画像を加工処理する加工情報生成手段を設けたことを特徴とする内視鏡装置。
【０１３１】
（付記項９）  左右２つの観察光学系を有する双眼観察光学系と、該光学系の両方の観察像を立体画像情報として構築し表示する表示手段を有する内視鏡装置において、立体表示として構築不可となる極近点物体を排除する排除手段を設けたことを特徴とする内視鏡装置。
【０１３２】
（付記項１〜９の従来技術）  従来の内視鏡では、特開平８−２１５１４２のように内視鏡先端部に２つの観察光学系（ここでは１つのＣＣＤに結像）を有し、その２つの眼の視差を利用した３次元眼鏡による立体観察の技術、および鉗子等の処置具と組み合わせて、異物回収などが考えられる。
【０１３３】
また、特開２００２−１１２２９０のように、眼鏡型ディスプレイ装置（３次元グラス）が記されている。
【０１３４】
（付記項１〜９が解決しようとする課題）  しかし、立体表示の際に、極近点位置では、視差に対しての物体面の距離が近すぎるために、表示を立体状態に再構築するのにも限界があった。そのため、極近点に位置する物体に対しては物体が２重に見える現象が生じていた。
【０１３５】
その結果、観察の妨げになり、検査効率の低下などの問題があった。
【０１３６】
さらに、極近点に物体があり、反射光によるハレーションが発生する場合には、その反射光がさらに２重となることで、より観察に不具合が生じるほかに、輝度があまりにも高く、白色にしか見えない場合には、立体情報を喪失し、正確に立体表示できないという不具合があった。
【０１３７】
（付記項１〜９の目的）  物体が２重に観察してしまう極近点領域の表示や視認の妨げとなる高輝度の表示を以下のように処理することで、観察者の観察に影響を与えないようにする。
【０１３８】
・マスク
・２重部分以外の画像抽出
・輝度の高い部分の低輝度化
（付記項１〜９の課題を解決するための手段）  左右２つの観察光学系を有する双眼観察光学系と、該光学系の両方の観察像を立体画像情報として構築し表示する表示手段を有する内視鏡装置において、立体表示として構築可不可を判別する判別手段と、構築不可情報を処理する処理手段を設けた構成とする。
【０１３９】
（付記項１〜９の作用）  構築不可情報を処理することで、操作者に誤解を与えたり、疲労の原因となる不適切な情報を排除する作用がある。
【０１４０】
（付記項１〜９の効果）  画面上に生じた不適切な画像を画面上から排除することにより、観察時の邪魔を排除でき、検査効率が上がるという効果がある。また、不適切な画像を排除することで立体情報のノイズを除き、適切な立体画像を構築することができる。
【０１４１】
【発明の効果】
本発明によれば、立体画像の観察時に視認の妨げとなる極近点領域の物体が２重に観察されてしまう表示や、高輝度の表示を観察者の観察に影響を与えないように処理することができ、立体画像が観察しやすい内視鏡装置を提供することができる。
【図面の簡単な説明】
【図１】本発明の第１の実施の形態の工業用内視鏡装置における内視鏡収納ケースの蓋を開いた状態を示す工業用内視鏡装置全体の斜視図。
【図２】（Ａ）は第１の実施の形態の工業用内視鏡装置における内視鏡収納ケースを示す斜視図、（Ｂ）は内視鏡装置本体の組み付けユニットの分解斜視図。
【図３】第１の実施の形態の工業用内視鏡装置の要部構成を示すもので、（Ａ）は内視鏡のリモコンの周辺部分および挿入部の先端部から直視アダプタを取外した状態を示す斜視図、（Ｂ）は側視アダプタを示す斜視図、（Ｃ）は直視双眼アダプタを示す斜視図、（Ｄ）は側視双眼アダプタを示す斜視図。
【図４】第１の実施の形態の工業用内視鏡装置における挿入部の先端部分の内部構成を示す縦断面図。
【図５】第１の実施の形態の工業用内視鏡装置における制御回路全体の概略構成図。
【図６】第１の実施の形態の工業用内視鏡装置における制御回路の要部構成を示す概略構成図。
【図７】第１の実施の形態の工業用内視鏡装置における制御回路の要部構成を示すソフトウエアブロック図。
【図８】第１の実施の形態の工業用内視鏡装置における立体画像の合成を指示する動作を説明するためのフローチャート。
【図９】第１の実施の形態の工業用内視鏡装置における挿入部の先端部分を計測対象のタービンブレードに向けた状態で処置具を挿入する操作を説明するための斜視図。
【図１０】第１の実施の形態の工業用内視鏡装置における内視鏡の処置具挿通チャンネル内に挿入した処置具が内視鏡の先端部から外部に突出された状態を示す斜視図。
【図１１】（Ａ）は第１の実施の形態の工業用内視鏡装置におけるモニタの一つの画面上に直視双眼アダプタの左右のアダプタ観察窓を通して得られる左右の各画像が映し出された状態を示す平面図、（Ｂ）は３次元グラス上に表示された３次元表示画像の１つの立体像の表示状態を示す平面図。
【図１２】第１の実施の形態の工業用内視鏡装置における極近点領域で得られた処置具の先端部の観察画像を示すもので、（Ａ）はモニタの一つの画面上に映し出された左右の各二次元表示画像を示す平面図、（Ｂ）は３次元グラス上に表示された３次元表示画像の１つの立体像の表示状態を示す平面図。
【図１３】第１の実施の形態の工業用内視鏡装置における３次元表示画像の加工処理状態を示すもので、（Ａ）は極近点領域の該当部分を塗りつぶし処理した画像を示す平面図、（Ｂ）は極近点領域の該当部分をカット処理した画像を示す平面図、（Ｃ）は極近点領域の該当部分上に文字情報を表示するマスク処理した画像を示す平面図。
【図１４】第１の実施の形態の工業用内視鏡装置における３次元表示画像の加工処理状態の変形例を示すもので、（Ａ）は立体表示画面上にグラフィックメニューを表示している画像を示す平面図、（Ｂ）は極近点領域の該当部分にメニューの表示位置を移動させた画像を示す平面図。
【図１５】本発明の第２の実施の形態の工業用内視鏡装置における制御回路全体の概略構成図。
【図１６】第２の実施の形態の工業用内視鏡装置における極近点領域で得られた処置具の先端部の観察画像にハレーションが表示されている立体像の表示状態を示す平面図。
【図１７】第２の実施の形態の工業用内視鏡装置における３次元表示画像の加工処理状態を示すもので、（Ａ）は極近点領域のハレーション部分を塗りつぶし処理した画像を示す平面図、（Ｂ）はハレーション部分をカット処理した画像を示す平面図、（Ｃ）はハレーション部分上に文字情報を表示するマスク処理した画像を示す平面図。
【図１８】本発明の第３の実施の形態を示すもので、（Ａ）は工業用内視鏡装置における挿入部の先端部分の内部構成を示す縦断面図、（Ｂ）は多自由度鉗子の要部構成を示す斜視図。
【図１９】本発明の第４の実施の形態の工業用内視鏡装置の要部構成を示す斜視図。
【図２０】本発明の第５の実施の形態の工業用内視鏡装置における制御回路全体の概略構成図。
【図２１】第５の実施の形態の工業用内視鏡装置における制御回路の要部構成を示すソフトウエアブロック図。
【符号の説明】
４９    ３次元グラス（表示手段）
１００ａ３    直視双眼アダプタ（双眼観察光学系）
１００ａ４    側視双眼アダプタ（双眼観察光学系）
１０８Ｌ，１０８Ｒ    左右２つの観察窓（観察光学系）
１１７    判別部（判別手段）
２１４    ビデオ加工指示部（処理手段）
２１５    グラフィック加工指示部（処理手段）
【図１】
2004187711.tif 000003
【図２】
2004187711.tif 000004
【図３】
2004187711.tif 000005
【図４】
2004187711.tif 000006
【図５】
2004187711.tif 000007
【図６】
2004187711.tif 000008
【図７】
2004187711.tif 000009
【図８】
2004187711.tif 000010
【図９】
2004187711.tif 000011
【図１０】
2004187711.tif 000012
【図１１】
2004187711.tif 000013
【図１２】
2004187711.tif 000014
【図１３】
2004187711.tif 000015
【図１４】
2004187711.tif 000016
【図１５】
2004187711.tif 000017
【図１６】
2004187711.tif 000018
【図１７】
2004187711.tif 000019
【図１８】
2004187711.tif 000020
【図１９】
2004187711.tif 000021
【図２０】
2004187711.tif 000022
【図２１】
2004187711.tif 000023